(57)【要約】【課題】複数のプレートを比較的簡易な構造によって締結することができ、締結に方向性がなく締結片が抜けにくい構造の積層メタルガスケットの締結構造を提供する。【解決手段】複数のメタルプレートを積層した状態で締結した積層メタルガスケットの締結構造である。一方のプレートに、一方向に突出する第１締結片と第１スリットを設けるとともに、反対方向に突出する第２締結片と第２スリットを設ける。他方のプレートに、一方向に突出する第３締結片と第３スリットを設けるとともに、反対方向に突出する第４締結片と第４スリットを設ける。第１締結片を第４スリットに差し込むとともに第４締結片を第１スリットに差し込んだ状態で第１および第４締結片をプレート厚み方向に重ね合わせる。第２締結片を第３スリットに差し込むとともに第３締結片を第２スリットに差し込んだ状態で第２および第３締結片をプレート厚み方向に重ね合わせる。【選択図】図２
2018004057.tif 000002
【特許請求の範囲】
【請求項１】
複数のメタルプレートを積層した状態で締結した積層メタルガスケットの締結構造であって、
一方のプレートに、平面方向一方向に突出する形状の舌片状の第１締結片と前記第１締結片の縁辺をなぞる形状の第１スリットを設けるとともに、反対方向に突出する形状の舌片状の第２締結片と前記第２締結片の縁辺をなぞる形状の第２スリットを設け、
他方のプレートに、前記平面方向一方向に突出する形状の舌片状の第３締結片と前記第３締結片の縁辺をなぞる形状の第３スリットを設けるとともに、前記反対方向に突出する形状の舌片状の第４締結片と前記第４締結片の縁辺をなぞる形状の第４スリットを設け、
前記第１締結片を前記第４スリットに差し込むとともに前記第４締結片を前記第１スリットに差し込んだ状態で前記第１締結片および前記第４締結片をプレート厚み方向に重ね合わせ、
前記第２締結片を前記第３スリットに差し込むとともに前記第３締結片を前記第２スリットに差し込んだ状態で前記第２締結片および前記第３締結片をプレート厚み方向に重ね合わせたことを特徴とする積層メタルガスケットの締結構造。
【請求項２】
請求項１に記載した積層メタルガスケットの締結構造において、
前記第１スリットおよび第２スリットは連続して設けられ、
前記第３スリットおよび第４スリットはこれも連続して設けられていることを特徴とする積層メタルガスケットの締結構造。
【請求項３】
請求項２に記載した積層メタルガスケットの締結構造において、
前記第１スリットおよび第２スリットよりなる連続スリットならびに前記第３スリットおよび第４スリットよりなる連続スリットのうち何れか一方は、平面Ｓ字形に形成され、
他方はこれをプレート裏面側から視て同じく平面Ｓ字形に形成されていることを特徴とする積層メタルガスケットの締結構造。
【発明の詳細な説明】
【技術分野】
【０００１】
本発明は、複数のメタルプレートを積層した状態で締結した積層メタルガスケットの締結構造に関する。本発明の積層メタルガスケットは例えば、内燃機関におけるシリンダヘッドガスケットとして用いられる。
【背景技術】
【０００２】
複数のメタルプレートを積層した状態で締結した積層メタルガスケットの締結構造として従来から、図３に示すタガー締結構造５１が知られている（特許文献１参照）。このタガー締結構造５１は、複数のプレート６１，７１，８１を積層した状態でこれらのプレート６１，７１，８１の平面上一部に大きな圧縮荷重を加え、プレート６１，７１，８１を潰すとともに幅を拡げる（締結構造５１の端部５１ａの幅をｗａ、締結構造５１の中央部５１ｂの幅をｗｂとして、ｗａ＜ｗｂ）ことで、締結構造を形成するものである。
【０００３】
しかしながら、上記タガー締結構造５１には、その締結面積や圧縮荷重の大きさを適正にコントロールするのが難しく、締結強度を安定確保するのが困難であると云う問題がある。また、設備・金型ともに高価で、微小箇所への大きな圧縮荷重負荷により金型が早期に劣化する懸念もある。
【０００４】
上記問題に照らして同じく従来、比較的簡易な締結構造として図４（Ａ）（Ｂ）に示すように、一方のプレート１０１にスリットの形成による舌片状の締結片１０２を設けるとともに他方のプレート１１１に穴部１１２を設け、図４（Ｃ）に示すように締結片１０２を穴部１１２に差し込むことにより両プレート１０１，１１１を締結するようにした締結構造が知られている（特許文献２参照）。
【先行技術文献】
【特許文献】
【０００５】
【特許文献１】特開平８−４２６９６号公報
【特許文献２】実開平６−２０９５５号公報
【発明の概要】
【発明が解決しようとする課題】
【０００６】
しかしながら、上記図４の差し込み式の締結構造では、両プレート１０１，１１１の締結に方向性があり、すなわち締結片１０２を穴部１１２に差し込む方向（Ｘ方向）と反対の方向（Ｙ方向）に荷重が作用すると、締結片１０２が穴部１１２から抜けてしまう虞がある。
【０００７】
本発明は以上の点に鑑みて、プレートに大きな圧縮荷重を加えることなく、舌片状の締結片をスリットに差し込むと云う比較的簡易な構造によってプレートを締結することができ、しかも締結に方向性がなく締結片が抜けにくい構造の積層メタルガスケットの締結構造を提供することを目的とする。
【課題を解決するための手段】
【０００８】
上記目的を達成するため、本発明の締結構造は、複数のメタルプレートを積層した状態で締結した積層メタルガスケットの締結構造であって、一方のプレートに、平面方向一方向に突出する形状の舌片状の第１締結片と前記第１締結片の縁辺をなぞる形状の第１スリットを設けるとともに、反対方向に突出する形状の舌片状の第２締結片と前記第２締結片の縁辺をなぞる形状の第２スリットを設け、他方のプレートに、前記平面方向一方向に突出する形状の舌片状の第３締結片と前記第３締結片の縁辺をなぞる形状の第３スリットを設けるとともに、前記反対方向に突出する形状の舌片状の第４締結片と前記第４締結片の縁辺をなぞる形状の第４スリットを設け、前記第１締結片を前記第４スリットに差し込むとともに前記第４締結片を前記第１スリットに差し込んだ状態で前記第１締結片および前記第４締結片をプレート厚み方向に重ね合わせ、前記第２締結片を前記第３スリットに差し込むとともに前記第３締結片を前記第２スリットに差し込んだ状態で前記第２締結片および前記第３締結片をプレート厚み方向に重ね合わせたことを特徴とする。
【０００９】
上記構成を備える本発明においては、第１プレートに設けた第１締結片の突出方向すなわち穴部への差し込み方向と第２締結片の突出方向すなわち穴部への差し込み方向とが互いに反対向きとされているため、第１締結片を相手スリット（第４スリット）に差し込むとともに第２締結片を相手スリット（第３スリット）に差し込んだ状態で、第１締結片を相手スリットから引き抜く方向に荷重が作用すると、第２締結片が相手スリットに対し深く差し込まれ、反対に第２締結片を相手スリットから引き抜く方向に荷重が作用すると、第１締結片が相手スリットに深く差し込まれる。
【００１０】
また同様に、第２プレートに設けた第３締結片の突出方向すなわち穴部への差し込み方向と第４締結片の突出方向すなわち穴部への差し込み方向とが互いに反対向きとされているため、第３締結片を相手スリット（第２スリット）に差し込むとともに第４締結片を相手スリット（第１スリット）に差し込んだ状態で、第３締結片を相手スリットから引き抜く方向に荷重が作用すると、第４締結片が相手スリットに対し深く差し込まれ、反対に第４締結片を相手スリットから引き抜く方向に荷重が作用すると、第３締結片が相手スリットに深く差し込まれる。
【００１１】
したがって、一の締結片を相手スリットから引き抜く方向に荷重が作用しても、他の締結片が相手スリットに対し深く差し込まれることにより両プレートの締結状態が維持されると云う関係が成立するため、両プレートの締結が外れてしまうのを抑制することが可能とされる。そしてこの効果は、プレートの平面方向一方向およびその反対方向の双方に亙るため、締結に方向性をもたないことになる。
【００１２】
一方のプレートに設ける第１スリットおよび第２スリットは連続して設けるようにしても良く、他方のプレートに設ける第３スリットおよび第４スリットはこれも連続して設けるようにしても良い。
【００１３】
また、第１スリットおよび第２スリットよりなる連続スリットならびに第３スリットおよび第４スリットよりなる連続スリットのうち何れか一方は、平面Ｓ字形に形成しても良く、他方はこれをプレート裏面側から視て同じく平面Ｓ字形に形成しても良い。
【発明の効果】
【００１４】
本発明においては、舌片状の締結片を相手スリットに差し込む構成であるために複数のプレートを比較的簡易な構造によって締結することができ、しかも締結に方向性がなく締結片が抜けにくい構造の積層メタルガスケットの締結構造を提供することができる。
【図面の簡単な説明】
【００１５】
【図１】本発明の実施例に係る締結構造を備えるメタルプレートを示す図で、（Ａ）は第１プレートの平面図、（Ｂ）は第２プレートの平面図
【図２】同締結構造を示す図で、（Ａ）はその平面図、（Ｂ）は第１プレートの要部断面図、（Ｃ）は第２プレートの要部断面図、（Ｄ）は同締結構造の概略断面図
【図３】従来例に係る締結構造を示す図で、（Ａ）はその斜視図、（Ｂ）はその断面図であって（Ａ）におけるＤ−Ｄ線断面図、（Ｃ）はその断面図であって（Ａ）におけるＥ−Ｅ線断面図
【図４】他の従来例に係る締結構造を示す図で、（Ａ）は第１プレートの要部平面図、（Ｂ）は第２プレートの要部平面図、（Ｃ）は同締結構造の平面図
【発明を実施するための形態】
【００１６】
本発明には、以下の実施形態が含まれる。
（１）締結する各プレートにＳ字状のスリットを形成する。Ｓ字状のスリットを重ねた後に、ピンで押し付けることで凸部をプレート下部に潜らせて締結する。
（２）締結する各プレートにＳ字状のスリットを形成する。Ｓ字状のスリットを重ねた状態で、凸部に対しプレート厚み方向の押圧をピン等の押圧治具で与え、スリット部を開口させることで、凸部をプレート下部に潜らせて締結する。
（３）１箇所でなく、対向位置に複数個所で重ね合わせることで、プレート同士がずれることがない締結状態となる。
（４）スリットをＵ字状ではなくＳ字状にすることでプレート同士の接触面積が大きくなり、締結力が増大する。
【実施例】
【００１７】
つぎに本発明の実施例を図面にしたがって説明する。
【００１８】
図１に示すように、当該実施例に係る締結構造１は、複数のメタルプレートを積層した状態で締結する積層メタルガスケットの締結構造であって、一方のプレートとしての第１プレート１１と他方のプレートとしての第２プレート２１とよりなる２枚のプレート１１，２１を積層した状態で締結する構造である。尚、平面長方形で描いた両プレート１１，２１には、図における左下隅部の近傍位置と右上隅部の近傍位置とにそれぞれ締結構造１が設けられているが、両締結構造１は対称形状であるので、このうち一方の左下隅部近傍位置の締結構造１について以下に説明する。また、第１プレート１１は第２プレート２１の上側に重ねられ、第２プレート２１は第１プレート１１の下側に重ねられるものとする。
【００１９】
図１（Ａ）に示すように、第１プレート１１に、平面方向一方向（Ｘ方向）に突出する形状の舌片状の第１締結片１２が設けられ、この第１締結片１２の舌片縁辺をなぞる形状の第１スリット１３が設けられている。また同じく第１プレート１１に、平面方向反対方向（Ｙ方向）に突出する形状の舌片状の第２締結片１４が設けられ、この第２締結片１４の舌片縁辺をなぞる形状の第２スリット１５が設けられている。これらの形成に際しては、第１プレート１１に各スリット１３，１５を形成することにより各締結片１２，１４を形成する。第１スリット１３および第２スリット１５はその長手方向に連続して設けられ、これら第１スリット１３および第２スリット１５よりなる連続スリットは平面Ｓ字形に形成されている。
【００２０】
図１（Ｂ）に示すように、第２プレート２１における上記第２締結片１４に対応する位置（重なる位置）に、平面方向一方向（Ｘ方向）に突出する形状の舌片状の第３締結片２２が設けられ、この第３締結片２２の舌片縁辺をなぞる形状の第３スリット２３が設けられている。また同じく第２プレート２１における上記第１締結片１２に対応する位置（重なる位置）に、平面方向反対方向（Ｙ方向）に突出する形状の舌片状の第４締結片２４が設けられ、この第４締結片２４の舌片縁辺をなぞる形状の第４スリット２５が設けられている。これらの形成に際しては、第２プレート２１に各スリット２３，２５を形成することにより各締結片２２，２４を形成する。第３スリット２３および第４スリット２５はその長手方向に連続して設けられ、これら第３スリット２３および第４スリット２５よりなる連続スリットはこれをプレート２１裏面側から視て平面Ｓ字形に形成されている。
【００２１】
上記各締結片１２，１４，２２，２４および各スリット１３，１５，２３，２５は、以下のように組み合わされる。
【００２２】
すなわち図２（Ａ）に拡大して示すように、第１締結片１２を第４スリット２５に差し込むとともに第４締結片２４を第１スリット１３に差し込み、第１締結片１２を下側、第４締結片２４を上側として両締結片１２，２４をプレート厚み方向に重ね合わせる。また同様に、第２締結片１４を第３スリット２３に差し込むとともに第３締結片２２を第２スリット１５に差し込み、第２締結片１４を下側、第３締結片２２を上側として両締結片１４，２２をプレート厚み方向に重ね合わせる。
【００２３】
これらの重ね合わせを可能にするため、第１締結片１２および第４締結片２４の組み合わせにおいて何れか一方または双方の締結片１２，２４にはその周囲に段差形状を設けることにより両締結片１２，２４間にプレート厚み方向の高低差を設定することにし、当該実施例では図２（Ｂ）および（Ｄ）に示すように第１締結片１２の両側にこの第１締結片１２の高さ位置を低くする段差形状１６が設けられている。また同様に、第２締結片１４および第３締結片２２の組み合わせにおいて何れか一方または双方の締結片１４，２２の周囲に段差形状を設けることにより両締結片１４，２２にプレート厚み方向の高低差を設定することにし、当該実施例では図２（Ｃ）および（Ｄ）に示すように第３締結片２２の両側にこの第３締結片２２の高さ位置を高くする段差形状２６が設けられている。
【００２４】
尚、締結状態で第４締結片２４の下側に位置する第１締結片１２を第４スリット２５に差し込むに際しては、第４締結片２４の上側に第１締結片１２を重ねた状態でこの第１締結片１２をその上方から押圧治具（図示せず）で押圧して弾性変形させ、その過程で第４締結片２４を乗り越えさせ、その後弾性復帰させるようにしても良く、この場合には、押圧治具による押圧の結果として第１締結片１２の両側に段差形状１６が設けられることがある。また同様に、締結状態で第２締結片１４の上側に位置する第３締結片２２を第２スリット１５に差し込むに際しては、第２締結片１４の下側に第３締結片２２を重ねた状態でこの第３締結片２２をその下方から押圧治具（図示せず）で押圧して弾性変形させ、その過程で第２締結片１４を乗り越えさせ、その後弾性復帰させるようにしても良く、この場合には、押圧治具による押圧の結果として第３締結片２２の両側に段差形状２６が設けられることがある。
【００２５】
上記構成を備える締結構造１においては、第１プレート１１に設けた第１締結片１２の突出方向すなわち差し込み方向（Ｘ方向）と同じく第１プレート１１に設けた第２締結片１４の突出方向すなわち差し込み方向（Ｙ方向）とが互いに反対向きとされているため、第１締結片１２を第４スリット２５に差し込むとともに第２締結片１４を第３スリット２３に差し込んだ状態で、第１締結片１２を第４スリット２５から引き抜く方向（Ｙ方向）に荷重が作用すると、第２締結片１４が第３スリット２３に対し深く差し込まれ、反対に第２締結片１４を第３スリット２３から引き抜く方向（Ｘ方向）に荷重が作用すると、第１締結片１２が第４スリット２５に対し深く差し込まれる。
【００２６】
また同様に、第２プレート２１に設けた第３締結片２２の突出方向すなわち差し込み方向（Ｘ方向）と同じく第２プレート２１に設けた第４締結片２４の突出方向すなわち差し込み方向（Ｙ方向）とが互いに反対向きとされているため、第３締結片２２を第２スリット１５に差し込むとともに第４締結片２４を第１スリット１３に差し込んだ状態で、第３締結片２２を第２スリット１５から引き抜く方向（Ｙ方向）に荷重が作用すると、第４締結片２４が第１スリット１３に対し深く差し込まれ、反対に第４締結片２４を第１スリット１３から引き抜く方向（Ｘ方向）に荷重が作用すると、第３締結片２２が第２スリット１５に対し深く差し込まれる。
【００２７】
したがって、一の締結片を相手スリットから引き抜く方向に荷重が作用しても、他の締結片が相手スリットに対し深く差し込まれることにより両プレート１１，２１の締結状態が維持されるため、両プレート１１，２１が外れてしまうのを抑制することが可能とされている。この効果は、プレート１１，２１の平面方向一方向（Ｘ方向）およびその反対方向（Ｙ方向）の双方に亙るため、締結に方向性をもたないものである。したがって本発明所期の目的どおり、締結に方向性がなく締結片が抜けにくい構造の積層メタルガスケットの締結構造を提供することができる。
【００２８】
また、締結構造１の構成要素は、第１ないし第４の締結片１２，１４，２２，２４およびスリット１３，１５，２３，２５の組み合わせよりなり、個々の構成要素はその形状が比較的簡易なものである。したがって今１つの本発明所期の目的どおり、複数のプレート１１，２１を比較的簡易な構造によって締結することができる積層メタルガスケットの締結構造を提供することができる。
【００２９】
また、第１スリット１３および第２スリット１５が長手方向に連続して設けられるとともに、第３スリット２３および第４スリット２５が長手方向に連続して設けられているため、構造が一層簡易化されており、スリットの形成およびこれに伴う締結片の形成も容易である。
【００３０】
更にまた、第１スリット１３および第２スリット１５よりなる連続スリットが平面Ｓ字形に形成されるとともに、第３スリット２３および第４スリット２５よりなる連続スリットがプレート裏面側から視てこれも平面Ｓ字形に形成されているため、これによってもスリットの形成およびこれに伴う締結片の形成が容易化されている。スリットおよびこれに差し込む締結片の組み合わせを複数備える締結構造は、締結面積が大きいために締結力が大きく、よってガタを生じにくいものである。
【符号の説明】
【００３１】
１  締結構造
１１  第１プレート（一方のプレート）
１２  第１締結片
１３  第１スリット
１４  第２締結片
１５  第２スリット
１６，２６  段差形状
２１  第２プレート（他方のプレート）
２２  第３締結片
２３  第３スリット
２４  第４締結片
２５  第４スリット
【図１】
2018004057.tif 000003
【図２】
2018004057.tif 000004
【図３】
2018004057.tif 000005
【図４】
2018004057.tif 000006